(57)【特許請求の範囲】
【請求項１】
機器本体と、この機器本体の上面に設けた天板と、機器本体内に装備され加熱状態を表示する発光素子と、この発光素子からの光を投入する入光面と光を出す発光面とが異なる軸上となるようにした導光体とを備え、前記機器本体はその内部を導光体の途中において入光面側と発光面側に仕切るとともに、導光体の発光面を天板の外側下面と対向させ、天板の発光面との対向位置を透明とした加熱調理器。
【請求項２】
発光素子と導光体とはそれぞれ複数個設けるとともに、導光体の入光面と発光面の間に反射面を設け、この反射面は各々異なった乱反射面とした請求項１に記載の加熱調理器。
【請求項３】
複数の導光体の反射面および発光面の大きさを異ならせた請求項１または２に記載の加熱調理器。
【請求項４】
複数の導光体の反射面に第二の導光体の入光面を接触もしくは近接させ、第二の導光体の発光面を機器本体の側面に臨ませた請求項１〜３のいずれか１項に記載の加熱調理器。
【請求項５】
機器本体の側面に臨ませた第二の導光体の発光面を、機器本体の側面に設けた火力調節手段と連携させ、火力調節手段が発光する構成とした請求項４に記載の加熱調理器。
【請求項６】
導光体の発光面には、拡大レンズを設けた請求項１〜３のいずれか１項に記載の加熱調理器。
【発明の詳細な説明】
【技術分野】
【０００１】
本発明は、天板上に載置した鍋を加熱調理する誘導加熱調理器などの加熱調理器に関するものである。
【背景技術】
【０００２】
従来、この種の加熱調理器としては、天板から離れた機器本体位置に加熱状態を表示する表示部を備えているものが一般的である（例えば、特許文献１参照）。
【特許文献１】特開２００４−１７２１４７号公報
【発明の開示】
【発明が解決しようとする課題】
【０００３】
しかしながら、前記従来の構成では、鍋の安定性と便利さのため天板を大きくすると、当然のことながら、表示部も天板から離れた位置となり、全体として機器本体が大きくなり、使い勝手が悪いものである。特に、機器をテーブル上で使用する場合は、機器が嵩張って使用困難となるケースも生じるものである。したがって、天板の大型化と機器本体のコンパクト化が求められている。
【０００４】
本発明は、前記従来の課題を解決するもので、天板の大型化と機器本体のコンパクト化を図ることができる加熱調理器を提供することを目的とする。
【課題を解決するための手段】
【０００５】
前記従来の課題を解決するために、本発明の加熱調理器は、機器本体と、この機器本体の上面に設けた天板と、機器本体内に装備され加熱状態を表示する発光素子と、この発光素子からの光を投入する入光面と光を出す発光面とが異なる軸上となるようにした導光体とを備え、前記機器本体はその内部を導光体の途中において入光面側と発光面側に仕切るとともに、導光体の発光面を天板の外側下面と対向させ、天板の発光面との対向位置を透明としたものである。
【０００６】
これによって、天板を大型化しても天板の外側下面から加熱状態が表示できるため、機器本体のコンパクト化を図ることができるとともに、機器本体内が導光体の途中において仕切られているため、万が一、機器本体と天板の間から水などが侵入しても電気充電部に水が触れる恐れはなく、安全性が確保できるものである。
【発明の効果】
【０００７】
本発明の加熱調理器は、天板の大型化と機器本体のコンパクト化を図ることができるとともに、安全性が確保できるものである。
【発明を実施するための最良の形態】
【０００８】
第１の発明は、機器本体と、この機器本体の上面に設けた天板と、機器本体内に装備され加熱状態を表示する発光素子と、この発光素子からの光を投入する入光面と光を出す発光面とが異なる軸上となるようにした導光体とを備え、前記機器本体はその内部を導光体の途中において入光面側と発光面側に仕切るとともに、導光体の発光面を天板の外側下面と対向させ、天板の発光面との対向位置を透明とした加熱調理器とすることにより、天板を大型化しても天板の外側下面から加熱状態が表示できるため、機器本体のコンパクト化を図ることができるとともに、機器本体内が導光体の途中において仕切られているため、万が一、機器本体と天板の間から水などが侵入しても電気充電部に水が触れる恐れはなく、安全性が確保できるものである。
【０００９】
第２の発明は、特に、第１の発明において、発光素子と導光体とはそれぞれ複数個設けるとともに、導光体の入光面と発光面の間に反射面を設け、この反射面は各々異なった乱反射面としたことにより、発光素子の種類や大きさ、各発光素子への電流を変えるなどの変化を全く行わずに各発光面の輝度や見え方を変えることができ、火力の強弱に対して、表示の輝度を変えて火力感を表現することができる。これにより発光素子の寿命も一定にさせることができ、安定した性能を確保できる。
【００１０】
第３の発明は、特に、第１または第２の発明において、複数の導光体の反射面および発光面の大きさを異ならせたことにより、火力の強弱に対して、表示の大きさを変えることで火力感を表現することができる。
【００１１】
第４の発明は、特に、第１〜第３のいずれか１つの発明において、複数の導光体の反射面に第二の導光体の入光面を接触もしくは近接させ、第二の導光体の発光面を機器本体の側面に臨ませたことにより、機器本体から離れた場所からでも機器本体側方の表示により火力を確認することができる。
【００１２】
第５の発明は、特に、第４の発明において、機器本体の側面に臨ませた第二の導光体の発光面を、機器本体の側面に設けた火力調節手段と連携させ、火力調節手段が発光する構成としたことにより、火力を調節する際につまみなどの火力調節手段を見ながら行うが、その発光部をみることで、火力感が認識でき、操作を容易にすることができる。
【００１３】
第６の発明は、特に、第１〜第３のいずれか１つの発明において、導光体の発光面には、拡大レンズを設けたことにより、少ないスペースで表示部分を大きくすることができ、機器本体のコンパクト化が実現できる。
【００１４】
以下、本発明の実施の形態について、図面を参照しながら説明する。なお、この実施の形態によって本発明が限定されるものではない。
【００１５】
（実施の形態１）
図１〜図５は、本発明の実施の形態１における加熱調理器を示すものである。
【００１６】
図１、図２に示すように、本実施の形態における加熱調理器は、上ケース１ａと下ケース１ｂを組み合わせて外郭を構成した機器本体１と、この機器本体１（上ケース１ａ）の上面３の接着面５に接着剤により接着した強化ガラス製またはセラミックス製の天板４と、機器本体１内に装備され加熱状態を表示する複数個の発光素子１６と、この発光素子１６からの光を投入する入光面１９と光を出す発光面２０とが異なる軸上となるような形状に形成した透光性で複数個の導光体１８とを備えている。ここで、上ケース１ａの接着面５は、上面３の外周に設けてあるが、機器本体１の内部に入り込んだ溝からなる接着部６を設けており、接着剤２が施され、上ケース１ａと天板４が完全に接合されている。
【００１７】
また、機器本体１はその内部を導光体１８の途中において入光面１９側と発光面２０側に仕切るとともに、導光体１８の発光面２０を上ケース１ａの上面３の穴２４を通して天板４の外側下面と対向させ、天板４の発光面２０との対向位置を透明として表示部２５としたものである。すなわち、表示部２５は、不透明印刷を施していないものである。
【００１８】
また、機器本体１の仕切りは、上ケース１ａの内面に設けた縦壁７と、下ケース１ｂの内面に設けた縦壁８とが、上ケース１ａと下ケース１ｂを組み合わせた際に、導光体１８の途中を挟み込むことによって行われ、機器本体１内を入光面１９側の加熱室９と発光面２０側の操作室１０に区分けしている。
【００１９】
また、発光素子１６は基板１５上に配置されており、この発光素子１６と導光体１８の入光面１９側との周囲を、光の透過性のない材料、例えば、樹脂材料からなるカバー１７で囲んでいる。
【００２０】
ここで、基板１５、カバー１７および導光体１８の入光面１９は加熱室９に収まり、導光体１８の発光面２０側は操作室１０に位置する。
【００２１】
次に、図３に誘導加熱調理器を例示しているように、鍋などを誘導加熱するコイルユニット１１はコイルベース１２に保持されて、加熱室９の下ケース１ｂに取り付けられている。また、コイルユニット１１に誘導電流を発生させるための基板１３、外部電源から基板１３に電流を供給するコード１４も下ケース１ｂに取り付けられている。さらに、火力調節を行うための火力調節手段２１が機器本体１の側面に設けてある。この火力調節手段２１は、下ケース１ｂの底面に設けたスリット穴２２に貫通して加熱室９内に設けた検知手段２３に接続されており、検知手段２３は基板１５と接続されている。この構成は図５に示したとおりである。なお、ここでは火力調節手段２１としてスライド式のレバーを示したが、ダイヤル式のつまみであってもよい。
【００２２】
なお、基板１５、カバー１７および導光体１８の全体構成は、図４に示すようにユニット化されているものである。
【００２３】
以上のように構成された加熱調理器において、以下その動作、作用を説明する。
【００２４】
機器本体１にコード１４を接続した状態では、通常、火力調節手段２１は『切』の位置になっており、その火力調節手段２１の位置を検知手段２３が停止状態と検知して、基板１５、１３に信号を伝え、火力表示の発光素子１６を消灯させ、加熱も停止させている。
【００２５】
次に、加熱をするために火力調節手段２１を操作させると、検知手段２３がその操作を検知して、現状の火力調節手段２１の位置を基板１５、１３に伝え、火力表示の発光素子１６が点灯して、加熱が始まる。
【００２６】
機器本体１には、火力の強弱を示す表示が施してあり、使用者は好みの火力の位置に火力調節手段２１を操作させると、検知手段２３がその操作位置を検知して、火力に合致した動作を行う。
【００２７】
例えば、火力を『中』に設定すると、基板１５に設けた発光素子１６は６個の内の４個が点灯する。そうすると点灯した発光素子１６の上に設けた導光体１８は入光面１９から光が透過して、発光面２０が発光する。
【００２８】
また、基板１３は火力が『中』であることを認識して、その火力に合わせた加熱を行うための電流をコイルユニット１１に流し、天板４上に載置した鍋が加熱される。
【００２９】
機器本体１の上面の表示部２５では導光体１８の発光面２０が発光しているので、その発光度合いで使用者は火力を認識することができる。その発光する輝度を明るくするために導光体１８内を透過する発光素子１６の光が効率良く入光面１９に行くようにカバー１７を設けている。ここで、カバー１７は反射しやすい白色とか銀色にすると、さらに効果が上がる。
【００３０】
このように、本実施の形態では、天板４を大型化しても天板４の外側下面から加熱状態が表示できるため、機器本体１のコンパクト化を図ることができる。
【００３１】
また、加熱室９の上方は上ケース１ａの接着部６で天板４が接着され、機器本体１内部は仕切られており、加熱室９には上からの溢水に対して水が入り込まない構成にしている。つまり、電気が流れず、電気絶縁する必要のない導光体１８の発光面２０のみを加熱室９から外に外した構成とすることで、万が一、機器本体１と天板４の間から操作室１０に水などが侵入しても電気充電部に水が触れる恐れはなく、安全性が確保できるとともに、発光面２０を機器本体１の外縁に近づけることができ、鍋の加熱時に表示が見やすくすることができる。
【００３２】
なお、検知手段２３に絶縁加工を施せば、加熱室９に配置するに限定するものではなく、操作室１０に配置しても支障はない。また発光素子１６や導光体１８は６個を設けてあるが、これは６個に限定するものではない。
【００３３】
（実施の形態２）
図６は、本発明の実施の形態２における加熱調理器の表示装置を示すものである。実施の形態１と同一要素については同一符号を付してその説明を省略する。
【００３４】
図に示すように、本実施の形態では、発光素子１６と導光体１８とはそれぞれ複数個設けるとともに、導光体１８の入光面１９と発光面２０の間に反射面３０を設け、この反射面３０は各々異なった乱反射面としたものである。反射面３０は、ここでは入光面１９からの光を直角に反射するように２カ所に形成している。また、乱反射面は、反射面３０に各々異なったシボ加工を施して形成している。
【００３５】
シボ加工を施すと一様に光が乱反射し、むらがなく一面きれいに発光させることができる。ところで、複数の導光体１８の反射面３０に異なったシボ加工を施すことで、複数の発光素子１６には同じものを使い、それに同じ電流を流して、発光素子１６自体の輝度は同じにしても、各発光面２０はそれぞれ異なった見え方に設定できるので、火力調節を数段階に分けたときに、点灯の見え方が異なり、火力の違いを認識しやすくできる。これにより、発光素子１６の寿命を安定させて、コストが高くなるのを抑えることができる。
【００３６】
このように、本実施の形態では、発光素子１６の種類や大きさ、各発光素子１６への電流を変えるなどの変化を全く行わずに各発光面２０の輝度や見え方を変えることができ、火力の強弱に対して、表示の輝度を変えて火力感を表現することができる。これにより発光素子１６の寿命も一定にさせることができ、安定した性能を確保できる。
【００３７】
（実施の形態３）
図７は、本発明の実施の形態３における加熱調理器の表示装置を示すものである。実施の形態１と同一要素については同一符号を付してその説明を省略する。
【００３８】
図に示すように、本実施の形態では、複数の導光体１８の反射面４１Ａ〜４１Ｆおよび発光面４２Ａ〜４２Ｆの大きさを異ならせたものである。
【００３９】
このように、本実施の形態では、複数の導光体１８には大きさの異なった反射面および発光面を設けていることにより、火力の強弱に対して、表示の大きさを変えることで火力感を表現することができる。なお、異なったシボ加工を施すことにより、同じ輝度で表示を大きくすることができる。
【００４０】
（実施の形態４）
図８は、本発明の実施の形態４における加熱調理器の表示装置を示すものである。実施の形態１と同一要素については同一符号を付してその説明を省略する。
【００４１】
図に示すように、本実施の形態では、複数の導光体５０の反射面５１に第二の導光体５２の入光面５３を接触もしくは近接させ、第二の導光体５２の発光面５４を機器本体１の側面に臨ませたものである。
【００４２】
なお、第二の導光体５２は導光体５０と同数設けてもよいが、例えば、１つのみであってもよいものである。
【００４３】
このように、本実施の形態では、第二の導光体５２の発光面５４を機器本体１の側面に臨ませたことにより、機器本体１から離れた場所からでも、また、天板４上の鍋がずれて表示部２５を覆い隠しても、機器本体１側方の表示により火力を確認することができ、安全で使い勝手がよくなる。
【００４４】
（実施の形態５）
図９は、本発明の実施の形態５における加熱調理器の表示装置を示すものである。実施の形態１、４と同一要素については同一符号を付してその説明を省略する。
【００４５】
図に示すように、本実施の形態では、複数の導光体５０の反射面５１に第二の導光体６１の入光面６２を接触もしくは近接させ、第二の導光体６１の発光面６３を機器本体１の側面に臨ませ、この発光面６３を、機器本体１の側面に設けた火力調節手段（つまみ）６４と連携させ、火力調節手段６４が発光する構成としたものである。
【００４６】
ここでは第二の導光体６１の発光面６３と火力調節手段６４とを一体化した場合を示したが、火力調節手段６４を分離構成とし各発光面６３を覆った状態でスライドさせるようにしてもよい。また、第二の導光体６１は導光体５０と同数設けてもよいが、例えば、１つのみで火力調節手段６４とともに移動するようにしてもよいものである。既述したが火力調節手段６４はダイヤル式であってもよく、第二の導光体６１との連携構成は種々考えられるものである。
【００４７】
このように、本実施の形態では、第二の導光体６１の発光面６３を機器本体１の側面に設けた火力調節手段６４と連携させ、火力調節手段６４が発光する構成としたことにより、火力を調節する際につまみなどの火力調節手段を見ながら行うが、その発光部をみることで、火力感が認識でき、操作を容易にすることができる。
【００４８】
（実施の形態６）
図１０は、本発明の実施の形態６における加熱調理器の表示装置を示すものである。実施の形態１、２と同一要素については同一符号を付してその説明を省略する。
【００４９】
図に示すように、本実施の形態では、導光体１８の発光面２０を上ケース１ａの穴７１に臨ませ、ここに拡大レンズ７０を設けたものである。
【００５０】
このように、本実施の形態では、拡大レンズ７０を設けたことにより、穴７１は広く大きく、更に明るくなり、操作が認識しやすくでき、少ないスペースで表示部分の拡大を図かれ、機器本体１のコンパクト化が実現できる。
【産業上の利用可能性】
【００５１】
以上のように、本発明にかかる加熱調理器は、天板の大型化と機器本体のコンパクト化を図ることができるとともに、安全性が確保できるものであるので、誘導加熱調理器に限らず、シーズヒータ、ラジエントヒータ、ハロゲンヒータなど、いずれの加熱方式の加熱調理器全般に利用することができる。
【図面の簡単な説明】
【００５２】
【図１】本発明の実施の形態１における加熱調理器の要部を示す断面図
【図２】同加熱調理器の天板と上ケースと下ケースの分解斜視図
【図３】同誘導加熱調理器の内部構成を示す平面図
【図４】同加熱調理器の表示部の斜視図
【図５】同加熱調理器の火力調節手段部の断面図
【図６】本発明の実施の形態２における加熱調理器の表示部の斜視図
【図７】本発明の実施の形態３における加熱調理器の表示部の斜視図
【図８】本発明の実施の形態４における加熱調理器の要部を示す断面図
【図９】本発明の実施の形態５における加熱調理器の要部を示す断面図
【図１０】本発明の実施の形態６における加熱調理器の要部を示す断面図
【符号の説明】
【００５３】
１  機器本体
４  天板
７、８  縦壁
９  加熱室
１０  操作室
１６  発光素子
１８、５０  導光体
１９、５３、６２  入光面
２０、４２Ａ〜４２Ｆ、５４、６３  発光面
２１、６４  火力調節手段
２５  表示部
３０、４１Ａ〜４１Ｆ、５１  反射面
５２、６１  第二の導光体
７０  拡大レンズ
【図１】
0004444199.tif 000002
【図２】
0004444199.tif 000003
【図３】
0004444199.tif 000004
【図４】
0004444199.tif 000005
【図５】
0004444199.tif 000006
【図６】
0004444199.tif 000007
【図７】
0004444199.tif 000008
【図８】
0004444199.tif 000009
【図９】
0004444199.tif 000010
【図１０】
0004444199.tif 000011